(57)【要約】      （修正有）【課題】雨天使用後の煩わしい作業を省き、雨天時に傘についた残留雨水を一旦傘先部に溜めて、適時に排水して、濡れ傘を持ち込まれた車内床面あるいは店内床面への落下を防止して、滑りや汚染の無い良好且つ安全な床面環境を維持する雨傘を提供する。【解決手段】傘シャフト１０２の先部に親骨２０２とこまを纏めて連結支持する上ろくろ２０４を配し、傘シャフトの根元に親骨の開閉操作用受け骨２０５とこまを纏めて連結した下ろくろ２０９と傘開閉機構と傘グリップ２０１を配し、前記親骨部を谷折り目にし前記親骨間を山折り目にしてメインこま２０３を張設してなる雨傘において、前記メインこま部の外側に雨溜めこま３０１を覆設し、前記雨溜めこまは、前記メインこまの親骨部の山折り目と親骨間の谷折り目に合わせた折り目にし、親骨間の谷折り目部を開口し、且つ排水具を備える。前記排水具は雨溜めこまに排水管を連通接続し、開閉弁を設ける。【選択図】図１（１）
0003233241.tif 000002
【実用新案登録請求の範囲】
【請求項１】
傘シャフトの先部に親骨とこまを纏めて連結支持する上ろくろを配し、傘シャフトの根元に親骨の開閉操作用受け骨とこまを纏めて連結した下ろくろと傘開閉機構と傘グリップを配し、前記親骨に同親骨部を谷折り目にし前記親骨間を山折り目にしてメインこまを張設してなる雨傘において、前記傘シャフトの先部のメインこま部の外側に雨溜めこまを覆設し、前記雨溜めこまは、前記メインこまの親骨部の山折り目と親骨間の谷折り目に合わせた折り目にし、親骨間の谷折り目部を開口し、且つ排水具を備えたことを特徴とする雨傘。
【請求項２】
前記排水具は雨溜めこまの傘シャフトの先部側に排水管を連通接続し、排水管に開閉弁を設けたことを特徴とする請求項１に記載の雨傘。
【請求項３】
前記排水具は雨溜めこまの側部に開閉口を設け前記開閉口の両側に面ファスナー又は合わせホックを装着したことを特徴とする請求項１に記載の雨傘。
【請求項４】
前記排水具は雨溜めこまの傘シャフトの先部側に排水口を設け前記排水口に開閉弁を備えてなることを特徴とする請求項１に記載の雨傘。
【考案の詳細な説明】
【技術分野】
【０００１】  本考案は、雨天時に傘利用者により濡れた雨傘をバスなどの車両内や店内に持ち込まれても、傘から床への滴垂れを防止して、滑りの無い安全な床面を維持するための雨傘に関する。
【背景技術】
【０００２】  雨降りの日、雨傘を使用中は、メインこまの外側面を雨水が流れ降りるが、使用後は畳んで振り下げても、こまの外側面に雨水が多く残留する。
この残留雨水は、例えば車内や店内で床面に落下して滑り易くなりまた汚染する。
このため従来は、雨天時に傘についた雨水の不快な濡れ防止は長いビニール袋に濡れ傘をそのまま差し込んで袋の底に残留雨水を溜めて臨時的に床面汚染を防止してきた。
使用後のビニール袋からは溜り雨水を排水したりそのまま使い捨てをするなど事後処理が煩わしい。また使用済みになったビニール袋は、公害となる可能性が大である。
【考案が解決しようとする課題】
【０００３】  本考案は、これらの雨天使用後の煩わしい無駄作業を省き、雨天時に傘についた残留雨水を一旦傘を逆さにして先部に溜めて、適時に排水して、濡れ傘を持ち込まれた車内床面あるいは店内床面への落下を防止して、滑りや汚染の無い良好且つ安全な床面環境を維持することを可能にする雨傘を提供する。
【課題を解決するための手段】
【０００４】  本考案は、前記した課題に適応する優れたでありその技術的特徴は、次の（１）〜（４）の通りである。
（１）、傘シャフトの先部に親骨とこまを纏めて連結支持する上ろくろを配し、傘シャフトの根元に親骨の開閉操作用受け骨とこまを纏めて連結した下ろくろと傘開閉機構と傘グリップを配し、前記親骨に同親骨部を谷折り目にし前記親骨間を山折り目にしてメインこまを張設してなる雨傘において、前記傘シャフトの先部のメインこま部の外側に雨溜めこまを覆設し、前記雨溜めこまは、前記メインこまの親骨部の山折り目と親骨間の谷折り目に合わせた折り目にし、親骨間の谷折り目部を開口し、且つ排水具を備えたことを特徴とする雨傘。
（２）、前記排水具は雨溜めこまの傘シャフトの先部側に排水管を連通接続し、排水管に開閉弁を設けたことを特徴とする前記（１）に記載の雨傘。
（３）、前記排水具は雨溜めこまの側部に開閉口を設け前記開閉口の両側に面ファスナー又は合わせホックを装着したことを特徴とする前記（１）に記載の雨傘。
（４）、前記排水具は雨溜めこまの傘シャフトの先部側に排水口を設け前記排水口に開閉弁を備えてなることを特徴とする前記（１）に記載の雨傘。
【考案の効果】
【０００５】  本考案の雨傘は、前述の（１）〜（４）の簡単な構成により、雨天時に差してメインこまの表面についた残留雨水を一旦傘先部の「雨溜めこま」内に溜めて、溜めた雨水を適時適所に「雨溜めこま」外に排水して、濡れ傘を持ち込まれた車内床面あるいは店内床面への雨水落下を確実に防止して、床滑りや汚染の無い良好且つ安全な床面環境を維持する等の優れた作用効果を呈するものである。
【図面の簡単な説明】
【０００６】
【図１】本考案の実施例１を示す側断面説明図であり、雨傘に使用時の状態を示す説明図（１）と雨傘を折り畳んだ状態を示す説明図（２）である。
【図２】本考案の実施例２を示す側断面説明図であり、雨傘に使用時の状態を示す説明図（１）と雨傘を折り畳んだ状態を示す説明図（２）である。
【図３】本考案の実施例３を示す側断面説明図であり、雨傘に使用時の状態を示す説明図（１）と雨傘を折り畳んだ状態を示す説明図（２）である。
【考案を実施するための態様】
【０００７】
【考案を実施するための態様】
【０００８】  本考案の実施例１〜３を図１〜図３に示す。
各例において傘本体２００は、公知の通称ジャンプ傘であり、シャフト１０２の上部に親骨２０２とメインこま２０３の纏め支持部である上ろくろ２０４を固定装着し、親骨２０２の操作用受け骨２０５を支持する下ろくろ２０６とこれにスプリング２０７を介して連結した受け骨２０８の下ろくろ２０９とをシャフト１０２に上下摺動自在に装着し、シャフト１０２の上部に下ろくろ２０６の上移動を阻止するストッパー２１０と、下ろくろ２０９の上移動を阻止する下ハジキ２１１を設けると共につゆ先２１２を前記傘グリップ２０１側に配してある。傘グリップ２０１には下ハジキ２１１の操作ボタン２１３を設けてある。
操作ボタン２１３とストッパー２１０と下ハジキ２１１とは傘の開閉具であり、操作ボタン２１３で下ハジキ２１１を解除すればスプリング２０７の反発力で下ろくろ２０６、２０９をストッパー２１０まで押し上がりメインこま２０３を各図の（１）の閉状態から（２）の開状態にする。つまり雨が降れば、こまバンド２１４を外し、操作ボタン２１３を押せば傘本体２００のメインこま２０３が開放して、傘グリップ２０１を握れば傘を差すことになる。
メインこま２０３は親骨２０２部の谷折り目２１６と親骨２０２間の山折り目２１５が交互に形成される。
傘グリップ２０１は、握り易い波型、ストレート型、凹凸型等にして傘を差しやすい形状にすればよい。
【実施例１】
【０００９】  図１の（１）（２）には本考案の実施例１の側断面説明図を示し、雨傘に使用時の状態を（１）に示し、雨傘を折り畳んだ状態を（２）に示す。
本例において前記傘シャフト１０２の先部のメインこま２０３部の外側に雨溜めこま３０１を覆設し、前記雨溜めこま３０１は、傘シャフト１０２の先部側を密閉し傘シャフト１０２の根本側に向けて前記メインこま２０３の山折り目２１６と谷折り目２１５と同じ山折り目３０２と谷折り目３０６にし、谷折り目３０６の先をメインこま２０３の谷折り目２１６に接着し、親骨２０２間の山折り目３０２を開口３０３し、傘シャフト１０２の先部側に排水具を備える。
前記排水具は雨溜めこま３０１の傘シャフト１０２の先部側に排水管３０４を連通接続し、排水管３０２に開閉弁３０５を設けたものである。
雨傘使用後は、傘を折り畳んでつゆ先２１２を下にすれば、メインこま２０３の表面に付いた雨粒は、つゆ先２１２側に流下して全量を雨溜めこま３０１内に溜めて、雨溜めこま３０１外に漏らしたり飛散したりして床面を濡らしたり汚損することが無い。雨溜めこま３０１からの排水は開閉弁３０５を外して排水管３０４を開状態にすればよい。
【実施例２】
【００１０】  図２の（１）（２）には本考案の実施例２の側断面説明図を示し、雨傘に使用時の状態を（１）に示し、雨傘を折り畳んだ状態を（２）に示す。
本例において前記傘シャフト１０２の先部のメインこま２０３部の外側に雨溜めこま４０１を覆設し、前記雨溜めこま４０１は、傘シャフト１０２の先部側を密閉し、傘シャフト１０２の根本側に向けて前記メインこま２０３の山折り目２１６と谷折り目２１５と同じ山折り目３０２と谷折り目３０６にし、谷折り目３０６の先をメインこま２０３の谷折り目２１６に接着し、親骨２０２間の山折り目３０２を開口３０３し、傘シャフト１０２の先部側に排水具を備える。傘シャフト１０２の先部側を密閉し傘シャフト１０２の根本側に向けて前記メインこま２０３の折り目２０４と逆の折り目４０２にして親骨２０２間を開口４０３し且つ排水具を備える。
前記前記排水具は雨溜めこま４０１の側部に開閉口４０４を設け前記開閉口４０４の両側に面ファスナー又は凹凸合わせホック４０５を装着したものである。
雨傘使用後は、傘を折り畳んでつゆ先２１２を下にすれば、メインこま２０３に付いた雨粒は、つゆ先２１２側に流下して全量を雨溜めこま４０１内に溜めて、雨溜めこま４０１外に漏らしたり飛散したりして床面を濡らしたり汚損することが無い。雨溜めこま４０１からの排水は面ファスナー又は合わせホック４０５を外して開閉口４０４を開状態にすればよい。
【実施例３】
【００１１】  図３の（１）（２）には本考案の実施例３の側断面説明図を示し、雨傘に使用時の状態を（１）に示し、雨傘を折り畳んだ状態を（２）に示す。
本例において前記傘シャフト１０２の先部のメインこま２０３部の外側に雨溜めこま３０１を覆設し、前記雨溜めこま３０１は、傘シャフト１０２の先部側を密閉し傘シャフト１０２の根本側に向けて前記メインこま２０３の山折り目２１６と谷折り目２１５と同じ山折り目３０２と谷折り目３０６にし、谷折り目３０６の先をメインこま２０３の谷折り目２１６に接着し、親骨２０２間の山折り目３０２を開口３０３し、傘シャフト１０２の先部側に排水具を備える。
前記排水具は雨溜めこま５０１の傘シャフト１０２の先部側に排水口５０４を設け前記排水口５０４に開閉弁５０５を備えてなる。
雨傘使用後は、傘を折り畳んでつゆ先２１２を下にすれば、メインこま２０３に付いた雨粒は、つゆ先２１２側に流下して全量を雨溜めこま５０１内に溜めて、雨溜めこま５０１外に漏らしたり飛散したりして床面を濡らしたり汚損することが無い。雨溜めこま５０１からの排水は開閉弁５０５を開状態にすればよい。
【産業上の利用可能性】
【００１２】  本考案は、前述の優れた作用効果を呈するため、一般の傘利用者により濡れた雨傘をバスなどの車両内や店内に持ち込まれても、傘から床への滴垂れを防止して、滑りの無い安全な床面を維持するので傘の製造・販売事業界にも大きく貢献すること多大なものがある。
【符号の説明】
【００１３】２００：傘本体
１０２：シャフト
２０１：傘グリップ
２０２：親骨
２０３：メインこま
２０４：上ろくろ
２０５：受け骨
２０６、２０９：下ろくろ
２０７：スプリング
２１０：ストッパー
２１１：下ハジキ
２１２：つゆ先
２１４：こまバンド
２１３：操作ボタン
３０１、４０１，５０１：雨溜めこま
【図１（１）】
0003233241.tif 000003
【図１（２）】
0003233241.tif 000004
【図２（１）】
0003233241.tif 000005
【図２（２）】
0003233241.tif 000006
【図３（１）】
0003233241.tif 000007
【図３（２）】
0003233241.tif 000008